(57)【要約】      （修正有）【課題】アクティブ基板と該アクティブ基板の上方に配置された対向基板とがほぼ方形枠状のシール材を介して貼り合わされ、シール材の内側における両基板間に液晶が封入された液晶表示装置において、アクティブ基板の外形を小さくする。【解決手段】アクティブ基板１上に設けられたアクティブ基板側対向電極用接続パッド部１４と対向基板２下に設けられた対向基板側対向電極用接続パッド部１８とは、その間に設けられた上下導通部材２０を介して、互いに接続されている。アクティブ基板側対向電極用接続パッド部１４は、走査線データ線駆動用ドライバ搭載領域１０の近傍において、絶縁膜を介して、走査引き回し線９の少なくとも一部と重なり合う位置に配置されている。【選択図】図１
2010175700.tif 000002
【特許請求の範囲】
【請求項１】
アクティブ基板と対向基板とが枠状のシール材を介して貼り合わされ、前記シール材の内側における前記両基板間に液晶が封入され、アクティブ基板の内面側の表示領域に複数の走査線および複数のデータ線が互いに直交して設けられ、前記アクティブ基板の内面側の前記表示領域の外側に走査引き回し線およびデータ引き回し線が前記走査線および前記データ線に接続されて設けられ、前記アクティブ基板の内面側の走査線データ線駆動用ドライバ搭載領域に走査用接続パッドおよびデータ用接続パッドが前記走査引き回し線および前記データ引き回し線に接続されて設けられ、前記アクティブ基板の内面側の前記表示領域の外側にアクティブ基板側対向電極用接続パッド部および該アクティブ基板側対向電極用接続パッド部に接続されたアクティブ基板側対向電極用引き回し線が設けられ、前記アクティブ基板の内面側の前記走査線データ線駆動用ドライバ搭載領域に対向電極用接続パッド部が前記アクティブ基板側対向電極用引き回し線に接続されて設けられ、前記対向基板の内面側の前記表示領域に対向電極が設けられ、前記アクティブ基板側対向電極用接続パッド部に対応する部分における前記対向基板の内面側に対向基板側対向電極用接続パッド部が前記対向電極に接続されて設けられ、前記両対向電極用接続パッド部が上下導通部材を介して接続された液晶表示装置において、前記アクティブ基板側対向電極用接続パッド部は、前記走査線データ線駆動用ドライバ搭載領域の近傍において、絶縁膜を介して前記走査引き回し線または前記データ引き回し線の少なくともいずれか一方の少なくとも一部と重なり合う位置に配置されていることを特徴とする液晶表示装置。
【請求項２】
請求項１に記載の発明において、前記走査線は行方向に配置され、前記データ線は列方向に配置されている、または、前記走査線は列方向に配置され、前記データ線は行方向に配置されている、のいずれか一方であることを特徴とする液晶表示装置。
【請求項３】
請求項２に記載の発明において、前記走査引き回し線の一部、または、前記データ引き回し線の一部は前記表示領域の行方向の一方の外側に配置され、残りは前記表示領域の行方向の他方の外側に配置されていることを特徴とする液晶表示装置。
【請求項４】
請求項３に記載の発明において、前記走査線データ線駆動用ドライバ搭載領域は、前記アクティブ基板の前記対向基板から列方向に突出された突出部上の領域からなることを特徴とする液晶表示装置。
【請求項５】
請求項４に記載の発明において、前記アクティブ基板側対向電極用接続パッド部は、前記表示領域の列方向両外側で前記走査線データ線駆動用ドライバ搭載領域の近傍に配置されていることを特徴とする液晶表示装置。
【請求項６】
請求項１に記載の発明において、前記走査引き回し線または前記データ引き回し線の少なくともいずれか一方は２層配線構造であることを特徴とする液晶表示装置。
【請求項７】
請求項１に記載の発明において、前記走査引き回し線または前記データ引き回し線の少なくともいずれか一方は３層配線構造であることを特徴とする液晶表示装置。
【請求項８】
請求項１に記載の発明において、前記走査用接続パッドは前記データ用接続パッドと同一の構造であることを特徴とする液晶表示装置。
【請求項９】
請求項８に記載の発明において、前記対向電極用接続パッドは前記データ用接続パッドと同一の構造であることを特徴とする液晶表示装置。
【発明の詳細な説明】
【技術分野】
【０００１】
この発明は液晶表示装置に関する。
【背景技術】
【０００２】
従来のアクティブマトリクス型の液晶表示装置には、アクティブ基板上の表示領域に複数の走査線と複数のデータ線とが互いに直交して設けられ、アクティブ基板上の表示領域の一辺部の外側に走査線データ線駆動用ドライバ用接続パッドが設けられ、アクティブ基板上の表示領域の外側に走査線およびデータ線と走査線データ線駆動用ドライバ用接続パッドとを接続する走査引き回し線およびデータ引き回し線が設けられたものがある（例えば、特許文献１参照）。この場合、走査引き回し線は、アクティブ基板上の表示領域の一辺部に隣接する２つの隣接辺部の外側に配置されている。
【先行技術文献】
【特許文献】
【０００３】
【特許文献１】特開２００８−２０７７２号公報（図１、図３）
【０００４】
上記従来の液晶表示装置では、アクティブ基板上の表示領域において走査線とデータ線とで囲まれた領域内に複数の画素電極がスイッチング素子としての薄膜トランジスタを介して走査線およびデータ線に接続されて設けられ、アクティブ基板の上方に配置された対向基板の下面側（アクティブ基板と対向する内面側）に対向電極が設けられている。この場合、アクティブ基板上の走査線データ線駆動用ドライバ用接続パッドの配置領域の両外側に設けられた対向電極用接続パッドと対向電極とを接続する必要がある。
【０００５】
このため、上記従来の液晶表示装置では、アクティブ基板上の表示領域の２つの隣接辺部の外側で走査用引き回し線の配置領域の外側に対向電極用引き回し線を設けている。対向電極用引き回し線の一端部は対向電極用接続パッドに接続されている。対向電極用引き回し線の他端部は、アクティブ基板上の表示領域の一辺部と対向する対向辺部の外側に配置され、両基板間に設けられた上下導通部材を介して対向電極に接続されている。
【発明の概要】
【発明が解決しようとする課題】
【０００６】
しかしながら、上記従来の液晶表示装置では、アクティブ基板上の表示領域の２つの隣接辺部の外側で走査用引き回し線の配置領域の外側に対向電極用引き回し線を設けているので、走査用引き回し線の配置領域の外側に対向電極用引き回し線の配置領域を必要とし、アクティブ基板の外形が大きくなってしまうという問題があった。
【０００７】
そこで、この発明は、アクティブ基板の外形を小さくすることができる液晶表示装置を提供することを目的とする。
【課題を解決するための手段】
【０００８】
請求項１に記載の発明は、アクティブ基板と対向基板とが枠状のシール材を介して貼り合わされ、前記シール材の内側における前記両基板間に液晶が封入され、アクティブ基板の内面側の表示領域に複数の走査線および複数のデータ線が互いに直交して設けられ、前記アクティブ基板の内面側の前記表示領域の外側に走査引き回し線およびデータ引き回し線が前記走査線および前記データ線に接続されて設けられ、前記アクティブ基板の内面側の走査線データ線駆動用ドライバ搭載領域に走査用接続パッドおよびデータ用接続パッドが前記走査引き回し線および前記データ引き回し線に接続されて設けられ、前記アクティブ基板の内面側の前記表示領域の外側にアクティブ基板側対向電極用接続パッド部および該アクティブ基板側対向電極用接続パッド部に接続されたアクティブ基板側対向電極用引き回し線が設けられ、前記アクティブ基板の内面側の前記走査線データ線駆動用ドライバ搭載領域に対向電極用接続パッド部が前記アクティブ基板側対向電極用引き回し線に接続されて設けられ、前記対向基板の内面側の前記表示領域に対向電極が設けられ、前記アクティブ基板側対向電極用接続パッド部に対応する部分における前記対向基板の内面側に対向基板側対向電極用接続パッド部が前記対向電極に接続されて設けられ、前記両対向電極用接続パッド部が上下導通部材を介して接続された液晶表示装置において、前記アクティブ基板側対向電極用接続パッド部は、前記走査線データ線駆動用ドライバ搭載領域の近傍において、絶縁膜を介して前記走査引き回し線または前記データ引き回し線の少なくともいずれか一方の少なくとも一部と重なり合う位置に配置されていることを特徴とするものである。
請求項２に記載の発明は、請求項１に記載の発明において、前記走査線は行方向に配置され、前記データ線は列方向に配置されている、または、前記走査線は列方向に配置され、前記データ線は行方向に配置されている、のいずれか一方であることを特徴とするものである。
請求項３に記載の発明は、請求項２に記載の発明において、前記走査引き回し線の一部、または、前記データ引き回し線の一部は前記表示領域の行方向の一方の外側に配置され、残りは前記表示領域の行方向の他方の外側に配置されていることを特徴とするものである。
請求項４に記載の発明は、請求項３に記載の発明において、前記走査線データ線駆動用ドライバ搭載領域は、前記アクティブ基板の前記対向基板から列方向に突出された突出部上の領域からなることを特徴とするものである。
請求項５に記載の発明は、請求項４に記載の発明において、前記アクティブ基板側対向電極用接続パッド部は、前記表示領域の列方向両外側で前記走査線データ線駆動用ドライバ搭載領域の近傍に配置されていることを特徴とするものである。
請求項６に記載の発明は、請求項１に記載の発明において、前記走査引き回し線または前記データ引き回し線の少なくともいずれか一方は２層配線構造であることを特徴とするものである。
請求項７に記載の発明は、請求項１に記載の発明において、前記走査引き回し線または前記データ引き回し線の少なくともいずれか一方は３層配線構造であることを特徴とするものである。
請求項８に記載の発明は、請求項１に記載の発明において、前記走査用接続パッドは前記データ用接続パッドと同一の構造であることを特徴とするものである。
請求項９に記載の発明は、請求項８に記載の発明において、前記対向電極用接続パッドは前記データ用接続パッドと同一の構造であることを特徴とするものである。
【発明の効果】
【０００９】
この発明によれば、アクティブ基板側対向電極用接続パッド部を、走査線データ線駆動用ドライバ搭載領域の近傍において、絶縁膜を介して走査引き回し線あるいはデータ引き回し線の少なくとも一部と重なり合う位置に配置しているので、アクティブ基板側対向電極用接続パッド部の配置領域を必要とせず、且つ、アクティブ基板側対向電極用引き回し線の長さを可及的に短くすることができ、ひいてはアクティブ基板の外形を小さくすることができる。
【図面の簡単な説明】
【００１０】
【図１】この発明の第１実施形態としての液晶表示装置の要部の等価回路的透過平面図。
【図２】図１の一部を拡大した等価回路的透過平面図。
【図３】図１に示す液晶表示装置の一部の断面図。
【図４】図１に示す液晶表示装置の他の一部の断面図。
【図５】この発明の第２実施形態としての液晶表示装置の一部の断面図。
【図６】この発明の第３実施形態としての液晶表示装置の図３同様の断面図。
【図７】この発明の第４実施形態としての液晶表示装置の図３同様の断面図。
【図８】図７に示す液晶表示装置の一部の断面図。
【図９】この発明の第５実施形態としての液晶表示装置の図７同様の断面図。
【図１０】図９に示す液晶表示装置の一部の断面図。
【図１１】この発明の第６実施形態としての液晶表示装置の要部の等価回路的透過平面図。
【図１２】図１１に示す液晶表示装置の一部の断面図。
【発明を実施するための形態】
【００１１】
（第１実施形態）
図１はこの発明の第１実施形態としての液晶表示装置の要部の等価回路的透過平面図を示し、図２は図１の一部を拡大した等価回路的透過平面図を示す。この液晶表示装置は、アクティブ基板１と該アクティブ基板１の上方に配置された対向基板２とがほぼ方形枠状のシール材３を介して貼り合わされ、シール材３の内側における両基板１、２間に液晶（ここでは図示せず）が封入されたものからなっている。
【００１２】
この場合、アクティブ基板１の下辺部は対向基板２から突出されている。以下、この突出された部分を突出部１ａという。また、突出部１ａの反対側に設けられたシール材３の液晶注入口４は封止材５によって封止されている。さらに、シール材３の内側の図１において一点鎖線で囲まれた長方形状の領域は表示領域６となっている。
【００１３】
アクティブ基板１上（対向基板２と対向する内面側）の表示領域６には複数の走査線７および複数のデータ線８が行方向および列方向に延びてつまり互いに直交して設けられている。走査線７とデータ線８とで囲まれた領域内には、ここでは図示していないが、画素電極がスイッチング素子としての薄膜トランジスタを介して走査線７およびデータ線８に接続されて設けられている。
【００１４】
複数の走査線７の上半分および下半分は、その左側および右側に設けられた走査引き回し線９（一部図示せず）を介して、アクティブ基板１の突出部１ａ上の点線で示す走査線データ線駆動用ドライバ搭載領域１０内の左側および右側に設けられた走査用接続パッド１１に接続されている。この場合、走査引き回し線９は、走査線７の延長線上に設けられた延長部分９ａと、この延長部分９ａに直交して設けられた直交部分９ｂとを有している。延長部分９ａの近傍における直交部分９ｂは表示領域６の外側でシール材３の内側に配置されている。
【００１５】
複数のデータ線８の下端部は、その下側において表示領域６の内側および外側に設けられたデータ引き回し線１２（一部図示せず）を介して、アクティブ基板１の突出部１ａ上の走査線データ線駆動用ドライバ搭載領域１０内の中央部に設けられたデータ用接続パッド１３に接続されている。
【００１６】
アクティブ基板１上の表示領域６の左下角部および右下角部の外側でシール材３の外側にはアクティブ基板側対向電極用接続パッド部１４が設けられている。アクティブ基板側対向電極用接続パッド部１４は、その下側に設けられたアクティブ基板側対向電極用引き回し線１５を介して、アクティブ基板１の突出部１ａ上の走査線データ線駆動用ドライバ搭載領域１０内の最も左側および最も右側に設けられた対向電極用接続パッド１６に接続されている。
【００１７】
ここで、アクティブ基板側対向電極用接続パッド部１４は、後述する絶縁膜を介して、複数の走査引き回し線９の直交部分９ｂの少なくとも一部と重なり合う位置に配置されている。アクティブ基板側対向電極用引き回し線１５の一部は、後述する絶縁膜を介して、複数の走査引き回し線９の直交部分９ｂの一部と重なり合う位置に配置されている。アクティブ基板側対向電極用引き回し線１５の線幅は、その低抵抗化を図るため、走査引き回し線９およびデータ引き回し線１２の線幅よりもある程度大きくなっている。
【００１８】
対向基板２下（アクティブ基板１と対向する内面側）の表示領域６には対向電極１７が設けられている。対向基板２下の対向電極１７の左下角部および右下角部の外側でシール材３の外側には対向基板側対向電極用接続パッド部１８が設けられている。対向基板側対向電極用接続パッド部１８は、その近傍に設けられた対向基板側対向電極用引き回し線１９を介して、対向電極１７の左下角部および右下角部に接続されている。対向基板側対向電極用引き回し線１９の線幅は、その低抵抗化を図るため、アクティブ基板側対向電極用引き回し線１５の線幅と同程度となっている。
【００１９】
アクティブ基板側対向電極用接続パッド部１４と対向基板側対向電極用接続パッド部１８とは、後で説明するが、その間に設けられた異方性導電接着材等からなる上下導通部材２０を介して互いに接続されている。
【００２０】
次に、図３は図１に示す液晶表示装置の一部の断面図を示す。この場合、図３の左側は薄膜トランジスタ２９および画素電極３２の部分の断面図を示し、図３の右側は両対向電極用接続パッド部１４、１８の部分の断面図を示す。まず、図３の左側の薄膜トランジスタ２９および画素電極３２の部分について説明する。
【００２１】
アクティブ基板１の上面（対向基板２と対向する内面）の所定の箇所にはクロム等からなるゲート電極２１および該ゲート電極２１に接続された走査線７（図１参照）が設けられている。ここで、以下において、アクティブ基板１の上面に設けられた配線（接続パッドを含む）は走査線７と同一の材料によって形成されている。
【００２２】
ゲート電極２１および走査線７を含むアクティブ基板１の上面には窒化シリコンからなるゲート絶縁膜２２が設けられている。ゲート電極２１上におけるゲート絶縁膜２２の上面の所定の箇所には真性アモルファスシリコンからなる半導体薄膜２３が設けられている。ゲート電極２１上における半導体薄膜２３の上面の所定の箇所には窒化シリコンからなるチャネル保護膜２４が設けられている。
【００２３】
チャネル保護膜２４の上面両側およびその両側における半導体薄膜２３の上面にはｎ型アモルファスシリコンからなる一対のオーミックコンタクト層２５、２６が設けられている。オーミックコンタクト層２５、２６の上面にはクロム等からなるソース電極２７およびドレイン電極２８が設けられている。
【００２４】
ここで、ゲート電極２１、ゲート絶縁膜２２、半導体薄膜２３、チャネル保護膜２４、一対のオーミックコンタクト層２５、２６、ソース電極２７およびドレイン電極２８により、逆スタガ型でチャネル保護膜型の薄膜トランジスタ２９が構成されている。
【００２５】
ゲート絶縁膜２２の上面の所定の箇所にはクロム等からなるデータ線８（図１参照）が設けられている。データ線８はドレイン電極２８に接続されている。ここで、以下において、ゲート絶縁膜２２の上面に設けられた配線（接続パッドを含む）はデータ線８と同一の材料によって形成されている。
【００２６】
薄膜トランジスタ２９およびデータ線８を含むゲート絶縁膜２２の上面には窒化シリコンからなるオーバーコート膜３０が設けられている。ソース電極２７の所定の箇所に対応する部分におけるオーバーコート膜３０にはコンタクトホール３１が設けられている。なお、オーバーコート膜３０は有機絶縁膜と該有機絶縁膜上に設けられた窒化シリコン膜との２層構造としてもよい。
【００２７】
オーバーコート膜３０の上面の所定の箇所にはＩＴＯからなる画素電極３２が設けられている。画素電極３２は、オーバーコート膜３０のコンタクトホール３１を介してソース電極２７に接続されている。ここで、以下において、オーバーコート膜３０の上面に設けられた配線（接続パッドを含む）は画素電極３２と同一の材料によって形成されている。
【００２８】
一方、対向基板２の下面（アクティブ基板１と対向する内面）には樹脂からなる赤、緑、青のカラーフィルタ３３が設けられている。カラーフィルタ３３の下面にはＩＴＯからなる対向電極１７が設けられている。そして、上述の如く、両基板１、２はシール材３を介して貼り合わされ、シール材３の内側における両基板１、２間には液晶３４が封入されている。
【００２９】
次に、図３の右側の両対向電極用接続パッド部１４、１８の部分について説明する。アクティブ基板１の上面の所定の箇所には走査引き回し線９（９ｂ）が設けられている。走査引き回し線９（９ｂ）を含むアクティブ基板１の上面にはゲート絶縁膜２２およびオーバーコート膜３０が設けられている。
【００３０】
シール材３の外側におけるオーバーコート膜３０の上面の所定の箇所にはアクティブ基板側対向電極用接続パッド部１４および該アクティブ基板側対向電極用接続パッド部１４に接続されたアクティブ基板側対向電極用引き回し線１５が設けられている。アクティブ基板側対向電極用接続パッド部１４およびアクティブ基板側対向電極用引き回し線１５は、同一の平面に形成された画素電極３２と同一の材料によって形成されている。
【００３１】
アクティブ基板側対向電極用接続パッド部１４は、オーバーコート膜３０およびゲート絶縁膜２２を介して、複数の走査引き回し線９（９ｂ）の少なくとも一部と重なり合う位置に配置されている。アクティブ基板側対向電極用引き回し線１５の一部は、オーバーコート膜３０およびゲート絶縁膜２２を介して、複数の走査引き回し線９（９ｂ）の一部と重なり合う位置に配置されている。
【００３２】
対向基板２の下面に設けられたカラーフィルタ３３の下面の所定の箇所には対向基板側対向電極用接続パッド部１８および該対向基板側対向電極用接続パッド部１８に接続された対向基板側対向電極用引き回し線１９が設けられている。対向基板側対向電極用接続パッド部１８および対向基板側対向電極用引き回し線１９は、同一の平面に形成された対向電極１７と同一の材料によって形成されている。
【００３３】
アクティブ基板側対向電極用接続パッド部１４と対向基板側対向電極用接続パッド部１８とは、その間に設けられた上下導通部材２０を介して接続されている。この場合、上下導通部材２０は、熱硬化性あるいは紫外線硬化性の樹脂２０ａ中に多数の導電性粒子２０ｂを含有させた異方性導電接着材からなっている。導電性粒子２０ｂは、一例として、樹脂球の表面にニッケルやアルミニウム等からなる金属皮膜が設けられたものからなっている。
【００３４】
次に、図４は走査用接続パッド１１の部分、データ用接続パッド１３の部分および対向電極用接続パッド１６の部分の断面図を示す。走査用接続パッド１１は、下層接続パッド１１ａと該下層接続パッド１１ａ上に設けられた上層接続パッド１１ｂとの２層構造となっている。この場合、下層接続パッド１１ａおよび該下層接続パッド１１ａに接続された走査引き回し線９（９ｂ）はアクティブ基板１の上面に設けられている。
【００３５】
下層接続パッド１１ａに対応する部分におけるオーバーコート膜３０およびゲート絶縁膜２２にはコンタクトホール４１が設けられている。上層接続パッド部１４ｂは、オーバーコート膜３０およびゲート絶縁膜２２のコンタクトホール４１を介して露出された下層接続パッド１１ａの上面およびその周囲におけるオーバーコート膜３０の上面に設けられている。
【００３６】
データ用接続パッド１３は、下層接続パッド１３ａと該下層接続パッド１３ａ上に設けられた上層接続パッド１３ｂとの２層構造となっている。この場合、下層接続パッド１３ａおよび該下層接続パッド１３ａに接続されたデータ引き回し線１２はゲート絶縁膜２２の上面に設けられている。下層接続パッド１３ａに対応する部分におけるオーバーコート膜３０にはコンタクトホール４２が設けられている。
【００３７】
上層接続パッド１３ｂは、オーバーコート膜３０のコンタクトホール４２を介して露出された下層接続パッド１３ａの上面およびその周囲におけるオーバーコート膜３０の上面に設けられている。対向電極用接続パッド１６および該対向電極用接続パッド１６に接続されたアクティブ基板側対向電極用引き回し線１５はオーバーコート膜３０の上面に設けられている。
【００３８】
以上のように、この液晶表示装置では、アクティブ基板側対向電極用接続パッド部１４を、走査線データ線駆動用ドライバ搭載領域１０の近傍において、オーバーコート膜３０およびゲート絶縁膜２２を介して走査引き回し線９（９ｂ）の少なくとも一部と重なり合う位置に配置しているので、アクティブ基板側対向電極用接続パッド部１４の配置領域を必要とせず、且つ、アクティブ基板側対向電極用引き回し線１５の長さを可及的に短くすることができ、ひいてはアクティブ基板１の外形を小さくすることができる。
【００３９】
すなわち、アクティブ基板１上の表示領域６の左下角部および右下角部の外側でシール材３の外側につまり突出部１ａ上の走査線データ線駆動用ドライバ搭載領域１０内に設けられた対向電極用接続パッド１６の近傍にアクティブ基板側対向電極用接続パッド部１４を設け、その下側にアクティブ基板側対向電極用引き回し線１５を設けているので、表示領域６の左側および右側に配置された走査引き回し線９（９ｂ）の左側および右側に比較的幅広のアクティブ基板側対向電極用引き回し線１５を配置する場合と比較して、アクティブ基板１の外形を小さくすることができる。
【００４０】
また、この液晶表示装置では、アクティブ基板１上の表示領域６の左下角部および右下角部の外側でシール材３の外側につまり突出部１ａ上の走査線データ線駆動用ドライバ搭載領域１０に設けられた対向電極用接続パッド１６の近傍にアクティブ基板側対向電極用接続パッド部１４を設けているので、アクティブ基板側対向電極用引き回し線１５の長さを可及的に短くすることができ、クロストーク発生等に起因する表示品位の低下を大幅に軽減することができる。
【００４１】
ところで、図４において、対向電極用接続パッド１６を、データ用接続パッド１３と同様に、ゲート絶縁膜２２の上面に設けられた下層接続パッドと該下層接続パッド上に設けられた上層接続パッドとの２層構造とすると、対向電極用接続パッド１６をデータ用接続パッド１３と同一の構造とすることができる。
【００４２】
一方、走査用接続パッド１１は、アクティブ基板１の上面に設けられた下層接続パッド１１ａを有するため、データ用接続パッド１３と同一の構造とすることはできない。そこで、次に、走査用接続パッド１１をデータ用接続パッド１３と同一の構造とすることができる実施形態について説明する。
【００４３】
（第２実施形態）
図５はこの発明の第２実施形態としての液晶表示装置の走査用接続パッド１１の部分の断面図を示す。この液晶表示装置において、図４に示す液晶表示装置と大きく異なる点は、走査用接続パッド１１を、ゲート絶縁膜２２の上面に設けられた下層接続パッド１１ｃと該下層接続パッド１１ｃ上に設けられた上層接続パッド１１ｄとの２層構造とした点である。
【００４４】
この場合、下層接続パッド１１ｃに対応する部分におけるオーバーコート膜３０にはコンタクトホール４３が設けられている。上層接続パッド１１ｄは、オーバーコート膜３０のコンタクトホール４３を介して露出された下層接続パッド１１ｃの上面およびその周囲におけるオーバーコート膜３０の上面に設けられている。
【００４５】
一方、走査引き回し線９（９ｂ）の接続パッド部９ｂ−１に対応する部分におけるオーバーコート膜３０およびゲート絶縁膜２２にはコンタクトホール４４が設けられている。そして、上層接続パッド１１ｄと走査引き回し線９（９ｂ）の接続パッド部９ｂ−１とは、コンタクトホール４４およびその近傍におけるオーバーコート膜３０の上面に設けられた接続配線４５を介して互いに接続されている。
【００４６】
このように、この液晶表示装置では、走査用接続パッド１１を、ゲート絶縁膜２２の上面に設けられた下層接続パッド１１ｃと、該下層接続パッド１１ｃ上に設けられた上層接続パッド１１ｄとの２層構造としているので、走査用接続パッド１１を図４に示すデータ用接続パッド１３と同一の構造とすることができる。
【００４７】
（第３実施形態）
図６はこの発明の第３実施形態としての液晶表示装置の図３同様の断面図を示す。この液晶表示装置において、図３に示す液晶表示装置と大きく異なる点は、アクティブ基板側対向電極用接続パッド部１４を下層接続パッド部１４ａと該下層接続パッド部１4ａ上に設けられた上層接続パッド部１４ｂとの２層構造とした点である。
【００４８】
この場合、下層接続パッド部１４ａおよび該下層接続パッド部１４ａに接続されたアクティブ基板側対向電極用引き回し線１５はゲート絶縁膜２２の上面に設けられている。下層接続パッド部１４ａに対応する部分におけるオーバーコート膜３０にはコンタクトホール４６が設けられている。上層接続パッド部１４ｂは、オーバーコート膜３０のコンタクトホール４６を介して露出された下層接続パッド部１４ａの上面およびその周囲におけるオーバーコート膜３０の上面に設けられている。
【００４９】
このように、この液晶表示装置では、アクティブ基板側対向電極用接続パッド部１４を下層接続パッド部１４ａと該下層接続パッド部１4ａ上に設けられた上層接続パッド部１４ｂとの２層構造とし、下層接続パッド部１４ａおよび該下層接続パッド部１４ａに接続されたアクティブ基板側対向電極用引き回し線１５をゲート絶縁膜２２の上面に設けているので、特に、アクティブ基板側対向電極用引き回し線１５をオーバーコート膜３０で覆って保護することができる。
【００５０】
なお、この場合の対向電極用接続パッド１６（図１参照）は、図４に示すデータ用接続パッド１３と同様に、ゲート絶縁膜２２の上面に設けられた下層接続パッドと該下層接続パッド上に設けられた上層接続パッドとの２層構造となり、データ用接続パッド１３と同一の構造となる。
【００５１】
（第４実施形態）
図７はこの発明の第４実施形態としての液晶表示装置の図３同様の断面図を示す。この液晶表示装置において、図３に示す液晶表示装置と大きく異なる点は、走査引き回し線９（９ｂ）を、アクティブ基板１の上面に設けられた下層走査引き回し線９（９ｂ）と、ゲート絶縁膜２２の上面に設けられた上層走査引き回し線９（９ｂ）との２層配線構造とした点である。
【００５２】
この場合、下層走査引き回し線９（９ｂ）と上層走査引き回し線９（９ｂ）とは１本おきに交互に配置されている。下層走査引き回し線９（９ｂ）は、上記第１実施形態の場合と同様に、それに対応する走査線７（図１参照）に直接に接続されている。一方、上層走査引き回し線９（９ｂ）は、それに対応する走査線７に直接には接続されていない。そこで、次に、その部分の接続構造について説明する。
【００５３】
図８は上層走査引き回し線９（直交部分９ｂ）とそれに対応する走査線７に接続された走査引き回し線９（延長部分９ａ）との接続部分の断面図を示す。走査引き回し線９（９ａ）の接続パッド部９ａ−２に対応する部分におけるオーバーコート膜３０およびゲート絶縁膜２２にはコンタクトホール４７が設けられている。上層走査引き回し線９（９ｂ）の接続パッド部９ｂ−２に対応する部分におけるオーバーコート膜３０にはコンタクトホール４８が設けられている。
【００５４】
そして、走査引き回し線９（９ａ）の接続パッド部９ａ−２と上層走査引き回し線９（９ｂ）の接続パッド部９ｂ−２とは、両コンタクトホール４７、４８内およびその間のオーバーコート膜３０の上面に設けられた接続配線４９を介して互いに接続されている。
【００５５】
以上のように、この液晶表示装置では、走査引き回し線９（９ｂ）を、アクティブ基板１の上面に設けられた下層走査引き回し線９（９ｂ）と、ゲート絶縁膜２２の上面に設けられた上層走査引き回し線９（９ｂ）との２層配線構造としているので、全体としての走査引き回し線９（９ｂ）の配置領域を小さくすることができ、ひいてはアクティブ基板１の外形をより一層小さくすることができる。
【００５６】
（第５実施形態）
図９はこの発明の第５実施形態としての液晶表示装置の図７同様の断面図を示す。この液晶表示装置において、図７に示す液晶表示装置と大きく異なる点は、走査引き回し線９（９ｂ）を３層配線構造とした点である。この場合、薄膜トランジスタ２９を含むゲート絶縁膜２２の上面には窒化シリコンからなる層間絶縁膜５１が設けられている。画素電極３２は、オーバーコート膜３０および層間絶縁膜５１に設けられたコンタクトホール５２を介してソース電極２７に接続されている。
【００５７】
走査引き回し線９（９ｂ）は、アクティブ基板１の上面に設けられた下層走査引き回し線９（９ｂ）と、ゲート絶縁膜２２の上面に設けられた中間層走査引き回し線９（９ｂ）と、層間絶縁膜５１の上面に設けられたクロム等からなる上層走査引き回し線９（９ｂ）との３層配線構造となっている。この場合、下層走査引き回し線９（９ｂ）と中間層走査引き回し線９（９ｂ）とは１本おきに交互に配置されている。上層走査引き回し線９（９ｂ）は下層走査引き回し線９（９ｂ）と同一の位置に配置されている。
【００５８】
下層走査引き回し線９（９ｂ）は、上記第１実施形態の場合と同様に、それに対応する走査線７（図１参照）に直接に接続されている。中間層走査引き回し線９（９ｂ）は、図８に示す場合と同様に、それに対応する走査線７に接続されている。ただし、この場合、ゲート絶縁膜２２とオーバーコート膜３０との間には層間絶縁膜５１が設けられている。一方、上層走査引き回し線９（９ｂ）は、それに対応する走査線７に直接には接続されていない。そこで、次に、その部分の接続構造について説明する。
【００５９】
図１０は上層走査引き回し線９（直交部分９ｂ）とそれに対応する走査線７に接続された走査引き回し線９（延長部分９ａ）との接続部分の断面図を示す。走査引き回し線９（９ａ）の接続パッド部９ａ−３に対応する部分におけるオーバーコート膜３０、層間絶縁膜５１およびゲート絶縁膜２２にはコンタクトホール５３が設けられている。上層走査引き回し線９（９ｂ）の接続パッド部９ｂ−３に対応する部分におけるオーバーコート膜３０にはコンタクトホール５４が設けられている。
【００６０】
そして、走査引き回し線９（９ａ）の接続パッド部９ａ−３と上層走査引き回し線９（９ｂ）の接続パッド部９ｂ−３とは、両コンタクトホール５３、５４内およびその間のオーバーコート膜３０の上面に設けられた接続配線５５を介して互いに接続されている。
【００６１】
以上のように、この液晶表示装置では、走査引き回し線９（９ｂ）を、アクティブ基板１の上面に設けられた下層走査引き回し線９（９ｂ）と、ゲート絶縁膜２２の上面に設けられた中間層走査引き回し線９（９ｂ）と、層間絶縁膜５１の上面に設けられた上層走査引き回し線９（９ｂ）との３層配線構造としているので、全体としての走査引き回し線９（９ｂ）の配置領域をより一層小さくすることができ、ひいてはアクティブ基板１の外形をさらにより一層小さくすることができる。
【００６２】
（第６実施形態）
図１１はこの発明の第６実施形態としての液晶表示装置の要部の等価回路的透過平面図を示し、図１２は図１１に示す液晶表示装置の一部の断面図を示す。この場合も、図１２の左側は薄膜トランジスタ２９および画素電極３２の部分の断面図を示し、図１２の右側は両対向電極用接続パッド部１４、１８の部分の断面図を示す。
【００６３】
この液晶表示装置において、図１および図３に示す液晶表示装置と大きく異なる点は、アクティブ基板１の右辺部を対向基板２から突出させ（この場合も、この突出された部分を突出部１ａという）、複数の走査線７および複数のデータ線８を列方向および行方向に設けた点である。
【００６４】
この場合、複数の走査線７の右端部は、その右側において表示領域６の内側および外側に設けられた走査引き回し線９（一部図示せず）を介して、アクティブ基板１の突出部１ａ上の走査線データ線駆動用ドライバ搭載領域１０内の中央部に設けられた走査用接続パッド１１に接続されている。
【００６５】
複数のデータ線８の左半分および右半分は、その下側および上側に設けられたデータ引き回し線１２（一部図示せず）を介して、アクティブ基板１の突出部１ａ上の走査線データ線駆動用ドライバ搭載領域１０内の下側および上側に設けられたデータ用接続パッド１３に接続されている。データ引き回し線１２は、データ線８の延長線上に設けられた延長部分１２ａと、この延長部分１２ａに直交して設けられた直交部分１２ｂとを有している。延長部分１２ａの近傍における直交部分１２ｂは表示領域６の外側でシール材３の内側に配置されている。
【００６６】
アクティブ基板１上の表示領域６の右下角部および右上角部の外側でシール材３の外側にはアクティブ基板側対向電極用接続パッド部１４が設けられている。アクティブ基板側対向電極用接続パッド部１４は、その右側に設けられたアクティブ基板側対向電極用引き回し線１５を介して、アクティブ基板１の突出部１ａ上の走査線データ線駆動用ドライバ搭載領域１０内の最も下側および最も上側に設けられた対向電極用接続パッド１６に接続されている。
【００６７】
ここで、アクティブ基板側対向電極用接続パッド部１４は、オーバーコート膜３０を介して、複数の走査引き回し線９の直交部分９ｂの少なくとも一部と重なり合う位置に配置されている。アクティブ基板側対向電極用引き回し線１５の一部は、オーバーコート膜３０を介して、複数の走査引き回し線９の直交部分９ｂの一部と重なり合う位置に配置されている。
【００６８】
対向基板２下の対向電極１７の右下角部および右上角部の外側でシール材３の外側には対向基板側対向電極用接続パッド部１８が設けられている。対向基板側対向電極用接続パッド部１８は、その近傍に設けられた対向基板側対向電極用引き回し線１９を介して、対向電極１７の右下角部および右上角部に接続されている。アクティブ基板側対向電極用接続パッド部１４と対向基板側対向電極用接続パッド部１８とは、その間に設けられた上下導通部材２０を介して互いに接続されている。
【００６９】
以上のように、この液晶表示装置では、アクティブ基板側対向電極用接続パッド部１４を、走査線データ線駆動用ドライバ搭載領域１０の近傍において、オーバーコート膜３０を介してデータ引き回し線１２（１２ｂ）の少なくとも一部と重なり合う位置に配置しているので、アクティブ基板側対向電極用接続パッド部１４の配置領域を必要とせず、且つ、アクティブ基板側対向電極用引き回し線１５の長さを可及的に短くすることができ、ひいてはアクティブ基板１の外形を小さくすることができる。
【００７０】
すなわち、アクティブ基板１上の表示領域６の右下角部および右上角部の外側でシール材３の外側につまり突出部１ａ上の走査線データ線駆動用ドライバ搭載領域１０内に設けられた対向電極用接続パッド１６の近傍にアクティブ基板側対向電極用接続パッド部１４を設け、その右側にアクティブ基板側対向電極用引き回し線１５を設けているので、表示領域６の下側および上側に配置されたデータ引き回し線１２（１２ｂ）の下側および上側に比較的幅広のアクティブ基板側対向電極用引き回し線１５を配置する場合と比較して、アクティブ基板１の外形を小さくすることができる。
【００７１】
また、この液晶表示装置では、アクティブ基板１上の表示領域６の右下角部および右上角部の外側でシール材３の外側につまり突出部１ａ上の走査線データ線駆動用ドライバ搭載領域１０に設けられた対向電極用接続パッド１６の近傍にアクティブ基板側対向電極用接続パッド部１４を設けているので、アクティブ基板側対向電極用引き回し線１５の長さを可及的に短くすることができ、クロストーク発生等に起因する表示品位の低下を大幅に軽減することができる。
【００７２】
なお、この液晶表示装置においても、データ引き回し線１２（１２ｂ）を２層配線構造あるいは３層配線構造とすることができる。また、走査用接続パッド１１をデータ用接続パッド１３と同一の構造とすることができる。さらに、対向電極用接続パッド１６をデータ用接続パッド１３と同一の構造とすることができる。
【符号の説明】
【００７３】
１  アクティブ基板
１ａ  突出部
２  対向基板
３  シール材
６  表示領域
７  走査線
８  データ線
９  走査引き回し線
１０  走査線データ線駆動用ドライバ搭載領域
１１  走査用接続パッド
１２  データ引き回し線
１３  データ用接続パッド
１４  アクティブ基板側対向電極用接続パッド部
１５  アクティブ基板側対向電極用引き回し線
１６  対向電極用接続パッド
１７  対向電極
１８  対向基板側対向電極用接続パッド部
１９  対向基板側対向電極用引き回し線
２０  上下導通部材
２２  ゲート絶縁膜
２９  薄膜トランジスタ
３０  オーバーコート膜
３２  画素電極
３３  カラーフィルタ
３４  液晶
【図１】
2010175700.tif 000003
【図２】
2010175700.tif 000004
【図３】
2010175700.tif 000005
【図４】
2010175700.tif 000006
【図５】
2010175700.tif 000007
【図６】
2010175700.tif 000008
【図７】
2010175700.tif 000009
【図８】
2010175700.tif 000010
【図９】
2010175700.tif 000011
【図１０】
2010175700.tif 000012
【図１１】
2010175700.tif 000013
【図１２】
2010175700.tif 000014